(57)【要約】【課題】ＶｏＩＰゲートウェイ装置に接続されるＳＩＰ機能を備えていないアナログ電話端末機においても、ＩＰ電話端末機と同様のナンバーディスプレイサービスの機能を実現することができるネットワーク装置を得ることを目的とする。【解決手段】内線番号情報が付与されたＩＰ電話端末機及びアナログ電話端末機を中継して管理するＰＢＸを備えたネットワーク装置１であって、アナログ音声信号をＩＰ信号に変換するＶｏＩＰ変換部７と、ＩＰ電話端末機を接続するＩＰ接続部４と、アナログ電話端末機を接続するアナログ接続部３と、を備え、ＩＰ電話端末機及びアナログ電話端末機からの発信を中継してアナログ電話端末機に接続する際に、発信元の内線番号情報をアナログ電話端末機に対して出力するネットワーク装置。【選択図】図１
2011239015.tif 000002
【特許請求の範囲】
【請求項１】
内線番号情報が付与されたＩＰ電話端末機及びアナログ電話端末機を中継して管理するＰＢＸを備えたネットワーク装置であって、
アナログ音声信号をＩＰ信号に変換するＶｏＩＰ変換部と、
ＩＰ電話端末機を接続するＩＰ接続部と、
アナログ電話端末機を接続するアナログ接続部と、
を備え、
ＩＰ電話端末機及びアナログ電話端末機からの発信を中継してアナログ電話端末機に接続する際に、発信元の内線番号情報をアナログ電話端末機に対して出力するネットワーク装置。
【請求項２】
前記アナログ接続部にアナログ電話端末機の内線番号情報を割り当てる操作を行う割当制御部と、
アナログ電話端末機の内線番号情報とこれに対応する前記アナログ接続部とを関連付けて記憶する記憶部と、
ＩＰ電話端末機からの発信を中継してアナログ電話端末機に接続する際に、発信したＩＰ電話端末機から受け取った発信情報を内線番号情報に変換して出力するとともに、
アナログ電話端末機からの発信を中継してアナログ電話端末機に接続する際に、発信したアナログ電話端末機に対応する内線番号情報を前記記憶部から取得してアナログ電話端末機へ出力することを特徴とする請求項１に記載のネットワーク装置。
【請求項３】
請求項１又は２に記載のネットワーク装置と、
前記アナログ接続部に接続する前記アナログ電話端末機と、
前記ＩＰ接続部に接続する前記ＩＰ電話端末機と、
を備えることを特徴とする電話システム。
【発明の詳細な説明】
【技術分野】
【０００１】
本発明はネットワーク装置及び電話システムに関する。
【背景技術】
【０００２】
ＰＢＸ（Ｐｒｉｖａｔｅ Ｂｒａｎｃｈ Ｅｘｃｈａｎｇｅ）や電話端末をＶｏＩＰ（Ｖｏｉｃ  Ｏｖｅｒ  Ｉｎｔｅｒｎｅｔ  Ｐｒｏｔｏｃｏｌ）網に接続してＩＰ電話サービスを受けるための装置として、ＶｏＩＰゲートウェイ装置が知られている（例えば特許文献１参照）。
【０００３】
また、ＶｏＩＰ電話では、アナログ電話と同様の機能を備えるように考慮されていると共に、アナログ電話端末を用いたシステムでは実現し得なかった各種機能をＳＩＰ（Ｓｅｓｓｉｏｎ Ｉｎｉｔｉａｔｉｏｎ Ｐｒｏｔｏｃｏｌ）機能を用いることにより付加価値として具備することができる（例えば特許文献２参照）。
【先行技術文献】
【特許文献】
【０００４】
【特許文献１】特開２００６−２２９８２０号公報
【特許文献２】特開２００６−２２２６６６号公報
【発明の概要】
【発明が解決しようとする課題】
【０００５】
しかしながら、上記特許文献１及び２では、ＶｏＩＰゲートウェイ装置を用いたシステムではＩＰ電話端末機のみであり、従来から利用されてきたアナログ電話端末機は利用されていない。即ち、ＶｏＩＰの機能をアナログ電話端末機は備えていないため、ＶｏＩＰゲートウェイではアナログ電話端末機を接続する接続口は設けていない。このため、ＶｏＩＰゲートウェイ装置ではアナログ電話端末機を利用できないという問題がある。
【０００６】
また、アナログ電話端末機ではＳＩＰ機能を備えていないので、ＶｏＩＰゲートウェイから中継されるナンバーディスプレイサービスの機能は利用されないという問題がある。
【０００７】
この発明は上記のような課題を解決するためになされたもので、ＶｏＩＰゲートウェイ装置に接続されるＳＩＰ機能を備えていないアナログ電話端末機においても、ＩＰ電話端末機と同様のナンバーディスプレイサービスの機能を実現することができるネットワーク装置を得ることを目的とする。
【課題を解決するための手段】
【０００８】
上記課題を解決するために、本発明に係るネットワーク装置は、内線番号情報が付与されたＩＰ電話端末機及びアナログ電話端末機を中継して管理するＰＢＸを備えたネットワーク装置であって、アナログ音声信号をＩＰ信号に変換するＶｏＩＰ変換部と、ＩＰ電話端末機を接続するＩＰ接続部と、アナログ電話端末機を接続するアナログ接続部と、を備え、ＩＰ電話端末機及びアナログ電話端末機からの発信を中継してアナログ電話端末機に接続する際に、発信元の内線番号情報をアナログ電話端末機に対して出力することを特徴とする。
【０００９】
この構成によると、ネットワーク装置はＰＢＸ機能を備え、アナログ音声信号をＩＰ信号に変換するＶｏＩＰ変換部と、ＩＰ電話端末機を接続するＩＰ接続部と、アナログ電話端末機を接続するアナログ接続部を備える。そして、ＩＰ電話端末機及びアナログ電話端末機からの発信を中継してアナログ電話端末機に接続する際に、発信元の内線番号情報をアナログ電話端末機に対して出力する。
【００１０】
また、本発明に係るネットワーク装置は、前記アナログ接続部にアナログ電話端末機の内線番号情報を割り当てる操作を行う割当制御部と、アナログ電話端末機の内線番号情報とこれに対応する前記アナログ接続部とを関連付けて記憶する記憶部と、ＩＰ電話端末機からの発信を中継してアナログ電話端末機に接続する際に、発信したＩＰ電話端末機から受け取った発信情報を内線番号情報に変換して出力するとともに、アナログ電話端末機からの発信を中継してアナログ電話端末機に接続する際に、発信したアナログ電話端末機に対応する内線番号情報を前記記憶部から取得してアナログ電話端末機へ出力することを特徴とする。
【００１１】
この構成によると、上記ネットワーク装置は、前記アナログ接続部にアナログ電話端末機の内線番号情報を割り当てる操作を行う割当制御部と、アナログ電話端末機の内線番号情報とこれに対応する前記アナログ接続部とを関連付けて記憶する記憶部とを備える。そして、ＩＰ電話端末機からの発信を中継してアナログ電話端末機に接続する際に、発信したＩＰ電話端末機からうけとった発信情報を内線番号情報に変換して出力するとともに、アナログ電話端末機からの発信を中継してアナログ電話端末機に接続する際に、発信したアナログ電話端末機に対応する内線番号情報を前記記憶部から取得してアナログ電話端末機へ出力する。
【００１２】
また、本発明の電話システムでは、上記ネットワーク装置と、前記アナログ接続部に接続する前記アナログ電話端末機と、前記ＩＰ接続部に接続する前記ＩＰ電話端末機と、を備える。
【発明の効果】
【００１３】
本発明によると、ＩＰ電話端末機及びアナログ電話端末機からの発信を中継してアナログ電話端末機に接続する際に、発信元の内線番号情報をアナログ電話端末機に対して出力するネットワーク装置するので、ＩＰ電話端末機のみならず、アナログ電話端末機もＩＰ電話端末機と同様の内線番号情報ができる。従って、利便性のよいネットワーク装置を提供することができる。また、別々にＶｏＩＰ機器やＰＢＸ機器を設ける必要がなく、コスト削減と装置のコンパクト化も同時に提供できる。
【図面の簡単な説明】
【００１４】
【図１】本発明に係るネットワーク装置を用いたネットワークシステムの説明図である。
【図２】本発明に係るネットワーク装置のブロック図である。
【図３】本発明に係るネットワーク装置の内線番号情報の表示のフローチャートである。
【図４】本発明に係るネットワーク装置の設定の一例である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
まず図１を参照しながら、本実施形態に係るの利用形態について簡単に説明する。図１は、本実施形態に係るネットワーク装置を用いたネットワークシステムの一構成例を示す説明図である。
【００１７】
図１に示すように、ネットワーク装置１、このネットワーク装置１にアナログ接続部３から接続されるアナログ電話端末機３０及びアナログ電話端末機３１と、ＩＰ接続部４から接続されるＩＰ電話端末機３５及びＩＰ電話端末機３６と、外部接続部９から接続する公衆網（ＮＥＴ）に接続されている。電話端末機４０は公衆網（ＮＥＴ）から接続される電話端末機である。また、アナログ電話端末機３０及びアナログ電話端末機３１と、ＩＰ電話端末機３５及びＩＰ電話端末機３６とは内線番号情報が付与されており、これらの電話端末機をネットワーク装置１がＰＢＸとして中継管理している。なお、電話端末機の数は図１に限られない。
【００１８】
また、ネットワーク装置１は、ＳＩＰ（Session Initiation Protocol）に従って呼制御通信を行いながら、ＩＰ電話端末機の内線端末同士、内線端末−外線間の通話路を確立させて、通話を実行させる。
【００１９】
ＳＩＰの簡単な制御について説明する。ＩＰ電話端末機の発呼側（発信側）から「ＩＮＶＩＴＥ」というリクエストメッセージを送出する。「ＩＮＶＩＴＥ」はセッションの起動信号であり、それには発呼側が受信可能なセッションの属性がＳＤＰ（Session DescrＩＰtion Protocol）で示されている。着呼側（着信側）は「ＩＮＶＩＴＥ」を受信し、呼び出し状態になったことを通知するために「１８０ ＲＩＮＧＩＮＧ」を発呼側へ送信する。この「１８０ ＲＩＮＧＩＮＧ」で着呼側の受信条件（コーデック、ポート番号等）と送信条件を提示してもよいが、通常は「２００ ＯＫ」で提示する。次に着呼側が通話可能状態になったことを通知するために「２００ ＯＫ」を発呼側へ送信する。それには、着呼側が受信可能なセッションの属性がＳＤＰで示されている。この「２００ ＯＫ」で着呼側の受信条件（コーデック、ポート番号等）と送信条件を提示する。次に、発呼側が「ＡＣＫ」を着呼側へ送信し、これにより通信に利用可能な属性がネゴシエーションされる。通信を終了するときには止める側が「ＢＹＥ」信号を送信することにより通信終了を要求し、それを受信した側は、その応答である「２００ ＯＫ」信号を送信して通信を終了するという制御である。
【００２０】
ネットワーク装置１はアンテナ２を備える。また、アナログ接続部３としてＦＸＳ（Foreign eXchange Station）３ａとＦＸＳ３ｂとを備える。また、ＩＰ接続部４としてＦＸＯ（Foreign eXchange Office）４ａとＦＸＯ４ｂとを備える。
【００２１】
ＬＡＮ接続部８は、イーサネット（登録商標）を用いた一般的なＬＡＮ対応ポートとして使用されるもので、例えばハブ（不図示）を介して、パーソナルコンピュータ等の機器を接続し、これらの機器と情報伝送を行うために使用される。情報伝達は有線通信であっても、アンテナ２を用いて無線通信であっても可能である。また、ＬＡＮ接続部８からパーソナルコンピュータなどを接続し、ネットワーク装置１を設定することができる。
【００２２】
図２は、ネットワーク装置１の構成の一例を示すブロック図である。ネットワーク装置１は、制御部２３と、アナログ接続部３と、ＩＰ接続部４と、記憶部４と、ＶｏＩＰ変換部７と、割当制御部７と、ＬＡＮ接続部８と、外部接続部９と、ＰＢＸ部１０とを有している。
【００２３】
制御部２３は、図示されていないＣＰＵとメモリを有しており、ＣＰＵ上ではＯＳが動作する。
【００２４】
制御部２３には、アナログ接続部３とＩＰ接続部４とが接続されている。アナログ接続部３としてＦＸＳ（Foreign eXchange Station）３ａとＦＸＳ３ｂとを備える。アナログ接続部３には複数のアナログ電話端末機が接続される。ＩＰ接続部４としてＦＸＯ（Foreign eXchange Office）４ａとＦＸＯ４ｂとを備える。ＩＰ接続部４には複数のＩＰ電話端末機が接続される。
【００２５】
記憶部５は、例えば、ハードディスクやフラッシュメモリ等で構成されており書き換え可能である。また、記憶部５は、ＩＰ電話端末機のＭＡＣアドレスに対応付ける形式で、電話設定情報を登録してもよい。
【００２６】
ここで、電話設定情報としては、例えば、ＦＫ情報、特番情報、同期情報などを用いることができる。ＦＫ情報とは、フリーファンクションキー（ＦＫ）すなわち機能ボタンに関する機能の割り付けを指定する情報である。
【００２７】
例えば、各電話端末機が０１〜１５まで１５個の機能ボタンを搭載している場合、１５個の機能ボタンの一部またはすべてに任意の機能を割り付けることができる。
【００２８】
前記特番情報とは、ＩＰ交換機１２に任意に設定した特定の通話方法を指定するための番号で、通常は、先頭に付加してダイヤルすることにより特定の通話方法を実現できる。前記同期情報とは、リンガの同期に関する情報である。また、記憶部５には、各電話端末機のチャネルの数を合計した結果や公衆側ネットワークのチャネルの数なども記憶してもよい。
【００２９】
電話設定情報の内容は、各電話端末機を使用する場合を想定したものとなっているが、各電話端末機以外の通信アプリケーションにも適用してもよい。
【００３０】
また、記憶部５には電話端末機の内線番号情報（端末ＩＤ、内線番号、ＩＰアドレス（電話端末機）を含む）が記憶されている。また、アナログ電話端末機の内線番号情報とこれに対応する前記アナログ接続部３とを関連付けて記憶している。なお、内線番号情報を電話設定情報と関連付けても良い。
【００３１】
ＩＰ電話端末機の場合にはＩＰアドレスを備えているので、内線番号情報とＳＩＰとを関連付けて記憶してもよい。例えば、ネットワーク装置１は、ＩＰ電話端末機に設定可能な１番からＮ番までのＮ個の内線電話番号を記憶してもよい。
【００３２】
割当制御部６は前記アナログ接続部３接続されるアナログ電話端末機の内線番号情報を割り当てる操作を行う制御をする。割り当ての操作は、ＬＡＮ接続部８からパーソナルコンピュータなどを接続して、所定の操作によって行う。
【００３３】
また、アナログ電話端末機３０やアナログ電話端末機３１の内線番号情報とこれに対応する前記アナログ接続部３とを関連付けて記憶部５へ記憶する。記憶する際には、前記電話設定情報へ含めてもよい。
【００３４】
ＶｏＩＰ（Voice over internet protocol）変換部７は、アナログの音声信号をＩＰ音声信号に変換する。即ち、アナログの音声信号を各種符号化方式で圧縮しパケットに変換した上で、ネットワークでリアルタイム伝送するように、ＩＰ音声信号へと変換する。アナログ音声信号の圧縮符号化方式には、通常0.3〜3.4kHz帯域のものが用いられるが、0.05〜7kHz帯域のものも使用してもよい。多数チャネルが必要な場合は音声が一定のレベル以下のときにパケットを送出しない無音圧縮の手法が使ってもよい。
【００３５】
また、リアルタイム性を重視し再送信を行わないUDPを使用して音声パケットを送り、パケット通信網の遅延時間のばらつきによるパケットの間隔や順序の乱れを吸収するため、バッファメモリを使用してもよい。途中で破棄されたパケットは、ホワイトノイズの挿入などで補正される。バッファ補正の遅延時間の影響で、みなし音声方式の場合ファクシミリなどのモデムやDTMFを使用した通信がうまくいかない場合がある。このため、デジタルデータのパケットとしてT.38対応にしてもよい。
【００３６】
ＬＡＮ接続部８は、イーサネット（登録商標）を用いた一般的なＬＡＮ対応ポートとして使用される。
【００３７】
外部接続部９は、公衆網（ＮＥＴ）に接続される部分である。また、公衆網はＶｏＩＰ公衆網であってもよい。
【００３８】
ＰＢＸ部１０は、電話端末機の回線交換機として機能し内線電話機能を実現する。特に、本願の本願のＰＢＸ部１０は、アナログ電話端末機の中継とＩＰ電話端末機の内線番号中継機能を有する。また、ＰＢＸ１０は、広域通信ネットワークのＷＡＮと、狭域通信ネットワークのＬＡＮとの間の回線交換機能も有してもよい。
【００３９】
ＰＢＸ部１０は、制御信号や通話信号をデジタル信号で処理し中継交換するデジタル交換機や、制御回路にマイクロプロセッサ等の電子回路を利用した電子交換機等を用いてもよい。また、ＰＢＸ部１０は、ダイヤルイン機能の契約を行っている電話端末機に対して着信通知を送信する場合に、該当の電話端末機に対してナンバーディスプレイサービス（着信番号情報＝通話前情報通知サービス）や発信番号を含む信号を送出する。即ち、着信時に電話端末機に対してＩＴＵ勧告Ｖ．３２に従ったナンバーディスプレイ信号を送出する機能を備えている。
【００４０】
例えば、着信先の電話端末機がアナログ電話回線に接続されている場合、ＰＢＸ部１０は所定の電話端末機に対して極性反転させた後、情報受信端末起動信号（ＣＡＲ）を送信する。電話回線に接続された電話端末機はＣＡＲ信号を検出すると、直流ループの閉結を行うことにより一時応答信号を返す。ＰＢＸ部１０は一時応答信号を検出すると、モデム信号によって、ダイヤルイン番号や発信番号を含む情報信号を送信する。電話端末機は情報信号を受信すると直流ループを断することにより、受信完了信号を返す。
【００４１】
ＰＢＸ部１０は受信完了信号を検出すると、呼出信号を送信すると同時に発信側へＲＴＢ（Ringing Back Tone；呼び出し中であることを知らせる呼び出し音）を送出する。この結果、回線着信状態、即ち電話端末機が鳴動する状態となる。上記の動作シーケンスにより電話端末機は、ＰＢＸ部１０から送られてくるモデム信号からダイヤルイン番号及び発信番号を取得することが可能である。
【００４２】
また、ＰＢＸ部１０は、電話端末機からの発呼要求を受け付けるために、ＳＩＰサーバの機能も搭載している。ＳＩＰとは「SIP（Session Initiation Protocol）」の略で、ＶｏＩＰなどの音声通信のＩＰ化で用いられるプロトコルである。ＳＩＰサーバ機能を有しているため、ＳＩＰを用いてＩＰ電話などのセッションの開始、変更、終了などの操作をおこなうことができる。
【００４３】
上記のように、ネットワーク装置１にＶｏＩＰ変換部７とＰＢＸ部１０とを備えたので、ＩＰ電話端末機だけでなくアナログ電話端末機を用いた通話の中継が可能となる。即ち、アナログ電話端末機３０からアナログ電話端末機３１に対しての中継でも良く、またアナログ電話端末機３０からＩＰ電話端末機３５に対しての中継でも良く、ＩＰ電話端末機３５からＩＰ電話端末機３６に対しての中継でも良く、ＩＰ電話端末機３５からアナログ電話端末機３０に対しての中継でも良い。
【００４４】
ＰＢＸ部１０の機能より、ある電話端末機から電話端末機郡へグループ発呼や全発呼をしてもよい。また、電話として通話するための一般的な機能、例えば、発信、着信、保留等の機能を備えている。
【００４５】
上記のような構成において、ネットワーク装置１が電話端末機の設定を行い、電話端末機を中継して管理して、ナンバーディスプレイサービス（通話前情報通知サービス）の制御について図３を用いて説明する。
【００４６】
ステップＳ１において、ネットワーク装置１が電話端末機の設定が必要か否か判定される。設定が必要な場合には、ステップＳ２へ移行し、不要な場合はステップＳ３へ移行する。
【００４７】
ステップＳ２において、ネットワーク装置１が電話端末機の設定を行う。設定の一例を図４に示す。設定画面５０はパーソナルコンピュータ（不図示）からＬＡＮケーブルなどを用いてＬＡＮ接続部８へ接続して設定を行う。設定画面５０に示すように、ネットワーク装置１が電話端末機の設定では、アナログ電話端末機及びＩＰ電話端末機の設定をそれぞれ行う。
【００４８】
図４に示すように、それぞれの電話端末機の接続口５１毎に設定が可能である。例えば、内線番号５２やグループ５３やタイムアウト処理５４を設定する。内線番号５２は、接続口５１に接続される電話端末機の内線番号である。グループ５３は、グループ発呼などに用いられ、電話端末機をグループ化したものである。タイムアウト処理５４は、収容している内線電話機が通話中や離席等により不応答である場合の処理を選択する。例えば、他の電話端末機へ転送するかボイスメールとして処理するかを選択する。
【００４９】
また、図示はしていないが、発呼処理を設定する画面を設けても良い。例えば、着信番号などに応じて、グループ発呼や全発呼を選択処理してもよい。
【００５０】
ステップＳ３では、内線通話として、ネットワーク装置１の中継して管理するある電話端末機からある電話端末機に対する発信を検出する。具体的には、ネットワーク装置１は、管理する電話端末機から受信した内線の接続要求を、この接続要求の接続先番号に基づいて、内線端末のアナログ電話端末機又はＩＰ電話端末機の何れかに中継する信号を検出する。
【００５１】
ステップＳ４では、発信元がアナログ電話端末機か否か判定される。アナログ電話端末機の場合にはステップＳ５へ移行し、アナログ電話端末機ではなくＩＰ電話端末機の場合にはステップＳ６へ移行する。
【００５２】
ステップＳ５では、発信元のアナログ電話端末機の内線番号情報を記憶部５から取得する。記憶部５には、アナログ電話端末機の内線番号情報とこれに対応する前記アナログ接続部３とを関連付けて記憶されている。
【００５３】
ステップＳ６では、発信したＩＰ電話端末機から受け取った発信情報をＳＩＰによって、内線番号情報に変換する。
【００５４】
ステップＳ７では、内線番号情報をアナログ電話端末機へ出力する。これにより、アナログ電話端末機はアナログ電話端末機が備える表示部に内線番号情報を表示する。
【００５５】
以上により、フローチャートは終了する。
【００５６】
上記のように、内線番号情報が付与されたＩＰ電話端末機及びアナログ電話端末機を中継して管理するＰＢＸを備えたネットワーク装置であって、アナログ音声信号をＩＰ信号に変換するＶｏＩＰ変換部７と、ＩＰ電話端末機を接続するＩＰ接続部４と、アナログ電話端末機を接続するアナログ接続部３と、を備え、ＩＰ電話端末機及びアナログ電話端末機からの発信を中継してアナログ電話端末機に接続する際に、発信元の内線番号情報をアナログ電話端末機に対して出力したので、ＩＰ電話端末機のみならず、アナログ電話端末機もＩＰ電話端末機と同様の内線番号情報ができる。従って、利便性のよいネットワーク装置を提供することができる。また、新にＶｏＩＰ機器やＰＢＸ機器を設ける必要がなく、コスト削減と装置のコンパクト化も同時に提供できる。
【００５７】
また本発明によると、前記アナログ接続部にアナログ電話端末機の内線番号情報を割り当てる操作を行う割当制御部６と、アナログ電話端末機の内線番号情報とこれに対応する前記アナログ接続部３とを関連付けて記憶する記憶部５と、ＩＰ電話端末機からの発信を中継してアナログ電話端末機に接続する際に、発信したＩＰ電話端末機から受け取った発信情報を内線番号情報に変換して出力するとともに、アナログ電話端末機からの発信を中継してアナログ電話端末機に接続する際に、発信したアナログ電話端末機に対応する内線番号情報を前記記憶部から取得してアナログ電話端末機へ出力するので、ＩＰ電話端末機のみならず、アナログ電話端末機もＩＰ電話端末機と同様の内線番号情報ができる。従って、利便性のよいネットワーク装置を提供することができる。また、新にＶｏＩＰ機器やＰＢＸ機器を設ける必要がなく、コスト削減と装置のコンパクト化も同時に提供できる。
【００５８】
本発明は、上述した実施形態に限定されない。本発明に係るネットワーク装置の各部の具体的な構成は、種々に設計変更可能である。例えば、本実施形態では内線の電話端末機で説明したが、これに限定されることはなく、外線の電話端末機４０からの中継でも適用可能である。
【００５９】
また、内線番号情報には、発信元の内線番号以外に、文字情報、ボイスメール、画像、音声など種々のデータの適応が可能である。またグループ発呼、全発呼を用いて発信元の内線番号を表示することが可能である。
【００６０】
また、ネットワーク装置１の設定において、各ＩＰ電話端末機は、端末ＩＤをネットワーク装置１に送信し、ネットワーク装置１は、端末ＩＤを受信した順に、内線電話番号情報を１番からその端末ＩＤをネットワーク装置１に設定していってもよい。これにより、ＩＰ電話端末機に内線電話番号情報を設定する場合、内線電話番号情報の設定にかかる手間を軽減することが可能になる。
【符号の説明】
【００６１】
１    ネットワーク装置
２    アンテナ
３    アナログ接続部
４    ＩＰ接続部
５    記憶部
６    割当制御部
７    ＶｏＩＰ変換部
８    ＬＡＮ接続部
９    外部接続部
１０    ＰＢＸ部
２３    制御部
３０  アナログ電話端末機
３１  アナログ電話端末機
３５  ＩＰ電話端末機
３６  ＩＰ電話端末機
【図２】
2011239015.tif 000003
【図３】
2011239015.tif 000004
【図４】
2011239015.tif 000005
【図１】
2011239015.tif 000006